(57)【要約】      （修正有）【課題】ふうせんへの空気注入や空気の抜取りに要する手間を要することなく、室内において無風状態でも力無く垂れ下がることを防止又は減少させ立体的な形状を保つことができる室内用鯉のぼりを提供する。【解決手段】シート部材２１５の一主表面２１５ｓ１と他主表面２１５ｓ２のうち一主表面の少なくとも一部が凸面を形成するように曲げられた骨部材２１１と、中空管形状の本体２２１部と、を備えてなり、骨部材のうち少なくとも該凸面を形成する一主表面を含む部分である凸部分が、本体部の内部に挿入されることで、該凸部分のうち他主表面側に該本体部の内部空間が形成されるものである、室内用鯉のぼりである。【選択図】  図３
0003117806.tif 000002
【実用新案登録請求の範囲】
【請求項１】
シート部材の一主表面と他主表面のうち一主表面の少なくとも一部が凸面を形成するように曲げられた骨部材と、中空管形状の本体部と、を備えてなり、
骨部材のうち少なくとも該凸面を形成する一主表面を含む部分である凸部分が、本体部の内部に挿入されることで、該凸部分のうち他主表面側に該本体部の内部空間が形成されるものである、室内用鯉のぼり。
【請求項２】
前記凸面が、所定の軸を含む平面による断面形状が線分に略沿ったものである、請求項１に記載の室内用鯉のぼり。
【請求項３】
前記所定の軸に対する垂直な面による凸面の断面が全ての部分において微分可能なものである、請求項２に記載の室内用鯉のぼり。
【請求項４】
骨部材に形成された係合部に係合することで、前記一主表面から突出するように骨部材に取り付けられる突出部材を、さらに備えてなるものである、請求項１乃至３のいずれか１に記載の室内用鯉のぼり。
【請求項５】
前記突出部材が短冊状のシート部材であり、
前記係合部が、骨部材の前記一主表面に形成された前記突出部材の一端に係合する一端係合部と、骨部材の前記一主表面に形成された前記突出部材の他端に係合する他端係合部と、を有してなり、
該一端係合部に一端が係合しかつ該他端係合部に他端が係合することで、突出部材の一端と他端との間の少なくとも一部が前記一主表面から突出するものである、請求項４に記載の室内用鯉のぼり。
【請求項６】
本体部が形成する管の長手方向に関し、本体部に対する骨部材の相対的な変位を制限する変位制限手段を、さらに備えるものである、請求項１乃至５のいずれか１に記載の室内用鯉のぼり。
【請求項７】
前記変位制限手段が、本体部と骨部材とのいずれか一方が有する前記長手方向に対し垂直方向に突出する変位制限突起部と、本体部と骨部材とのいずれか他方が有する変位制限突起部を収容する変位制限突起部収容部と、を含んで構成されるものである、請求項６に記載の室内用鯉のぼり。
【請求項８】
前記室内用鯉のぼりが、鯉の形状を有するものであり、
前記変位制限突起部収容部が、該鯉の尾ビレに沿って本体部に形成された袋部分であり、
前記変位制限突起部が、該袋部分に嵌入される骨部材に形成された骨部材突起である、請求項７に記載の室内用鯉のぼり。
【請求項９】
前記本体部と前記シート部材とを含んでなる、請求項１乃至８のいずれか１に記載の室内用鯉のぼりを製作する製作キット。
【請求項１０】
前記シート部材の一主表面が、前記凸面を形成するように曲げられておらず略平面に沿っているものである、請求項９に記載の製作キット。
【請求項１１】
第１の室内用鯉のぼりを製作する請求項９又は１０に記載の第１の製作キットと、第１の室内用鯉のぼりとは異なる種類の第２の室内用鯉のぼりを製作する請求項９又は１０に記載の第２の製作キットと、を少なくとも含むセット。
【考案の詳細な説明】
【技術分野】
【０００１】
本考案は、室内に配設される室内用鯉のぼりに関し、より詳細には、風が吹いていない室内においても立体的な形状を保持することができ見栄えのよい室内用鯉のぼりに関する。
【背景技術】
【０００２】
鯉のぼりは、男の子の成長を祝って端午の節句に立設されるものであり、以前は室外（屋外）に立設されることが多かったが、近年は住宅事情の変化等から室内に配設されることも増えてきた。
室内へ配設される鯉のぼりは、これまでの屋外用の鯉のぼりのように広大な空間を要するものをそのまま用いることはできないので、寸法の小さいものも開発及び販売されてきた。
一方、屋外のような強い風は室内には通常吹かないので、室内に鯉のぼりを配設すると、男の子の成長を祝うための隆々とした力強く泳ぐ鯉のような形状ではなく、力無く垂れ下がったままの鯉のぼりになってしまう問題があった。この問題を解決するため、室内等のように無風状態においても立体的な形状を保ち泳いでいるように見える鯉のぼりも提供されている（例えば、特許文献１参照）。
【０００３】
特許文献１に記載の考案は、「無風状態においても常時ほぼ設置面と並行に且つ立体的な形状を保ち、泳いでいるように見える鯉のぼりを提供」（特許文献１、要約書中の課題部分）せんとするものであり、具体的には「鯉のぼり本体１内部に嵌脱可能とした魚型ふうせん２を膨張させ空気弁３を閉じた後、鯉のぼり本体１上部の背びれ５に取付孔６を穿設し、ひも８で掛止した口金具７と該取付孔６を係止固定した後掲揚し、立体的に且つ常時設置面にほぼ並行に泳いでいるように見え、また鯉のぼり本体１内部の魚型ふうせん２を脱離し、ひも８で掛止した口金具７と口紐４を係止固定した従来の掲揚も可能とした立体鯉のぼり」（特許文献１、要約書中の解決手段部分）が開示されている。
【０００４】
【特許文献１】登録実用新案第３０４５０７７号公報（要約書中の課題、解決手段、第１図等）
【考案の開示】
【考案が解決しようとする課題】
【０００５】
しかしながら、特許文献１に記載の立体鯉のぼりは、「鯉のぼり本体１内部に嵌脱可能とした魚型ふうせん２」を用いることにより、室内等のように無風状態においても力無く垂れ下がることなく立体的な形状を保ち泳いでいるように見えるようにするものであり、鯉のぼりの設置には魚型ふうせんに空気を吹き込む作業と、鯉のぼりの収納には魚型ふうせんから空気を抜き取る作業と、を要するので鯉のぼりの設置及び収納に多くの手間がかかるという問題があった。かかる問題は多くの鯉のぼりを設置及び収納する際には、非常に難儀なものとなり得る（例えば、真鯉、緋鯉、子供の鯉等のように、通常複数の鯉をかたどった鯉のぼりが存する。）。
また、鯉のぼり本体１内部の魚型ふうせんは、鯉のぼり設置後、時間の経過と共に内部の空気が抜けることがあり、その都度、魚型ふうせんへ空気を注入する必要があった。
このように特許文献１に記載の立体鯉のぼりは、設置時（魚型ふうせんへの空気注入）、使用時（空気が抜けた場合の魚型ふうせんへの空気注入）及び収納時（魚型ふうせんからの空気抜き取り）において魚型ふうせんへ空気を注入したり抜き取るのに手間がかかるという問題があった。
そこで、本考案では、このような魚型ふうせんへの空気注入や空気の抜取りに要する手間を要することなく、室内において無風状態でも力無く垂れ下がることを防止又は減少させ立体的な形状を保つことができる室内用鯉のぼりを提供することを目的とする。
【課題を解決するための手段】
【０００６】
本考案の室内用鯉のぼり（以下、「本鯉のぼり」という。）は、シート部材の一主表面と他主表面のうち一主表面の少なくとも一部が凸面を形成するように曲げられた骨部材と、中空管形状の本体部と、を備えてなり、骨部材のうち少なくとも該凸面を形成する一主表面を含む部分である凸部分が、本体部の内部に挿入されることで、該凸部分のうち他主表面側に該本体部の内部空間が形成されるものである、室内用鯉のぼりである。
通常、鯉のぼりの設置は、端午の節句に男の子の成長を祝って行われるが、上下方向にのびる支持物（例えば、支柱やロープ等）の最上部に吹き流し（吹き抜き）が取り付けられ、その下方に異なる種類の鯉（例えば、真鯉、緋鯉、子供の鯉等）をかたどった筒形状の鯉形状物と、を含んだ状態で行われることが多い。ここに本考案にいう「鯉のぼり」とは、このような吹き流し（吹き抜き）や筒形状の鯉形状物のいずれのものも包含する概念である（例えば、一般には吹き流し（吹き抜き）と呼ばれるものも本考案にいう「鯉のぼり」であり、筒形状の鯉形状物のそれぞれも本考案にいう「鯉のぼり」である。）。
シート部材とは、一主表面と他主表面との両主表面を有する薄い板状の部材をいい、一主表面の少なくとも一部が凸面を形成するように曲げられることができる程度の柔軟性を有するものをいい、例えば、ＰＥＴ（ポリエチレンテレフタレート）、ポリエチレン、ポリプロピレン、ポリアミド等のような樹脂材料によって形成されたフィルム（例えば、０．１〜０．５ｍｍ程度の厚みのものを好適に使用することができる。具体的には０．３ｍｍ程度の厚みのものでもよい。）や、薄い金属板（例えば、ステンレス鋼製）等を例示することができる。
また、本体部が形成する中空管形状とは、一端と他端との少なくとも一方（無論、両方でもよい）が開放された内部を有するものであり、一端及び他端以外の部分に開口、切り欠き、スリット等を有するものであってもよく、例えば、吹き流し（吹き抜き）のように後端から前方に向かって長いスリットが形成されているものも含む。
【０００７】
このような本鯉のぼりは、骨部材を構成するシート部材の一主表面の少なくとも一部が凸面を形成するよう（突出するよう）に曲げられており、この凸面を形成する一主表面を含む骨部材の部分である凸部分が、中空管形状の本体部の内部に挿入されることで、該凸部分のうち他主表面側（突出し凸面を形成する一主表面の裏面側）に本体部の内部空間が形成される。
従って、骨部材の少なくとも凸部分（無論、骨部材の全部でもよい）が、中空管形状の本体部の内部に挿入されることで、本体部内部に挿入された凸部分の他主表面側に本体部の内部空間が形成されるので室内において無風状態でも立体的な形状を保つことができ、さらに骨部材が本体部の内部に挿入されることで本体部（通常、布や紙等で形成される）が補強されるので室内において無風状態でも力無く垂れ下がることを防止又は減少させることができる。即ち、本鯉のぼりは、前述した特許文献１に記載の立体鯉のぼりにおいては要する魚型ふうせんへの空気注入や空気の抜取りに要する手間を要することなく、室内において無風状態でも力無く垂れ下がることを防止又は減少させ、立体的な形状を保つことができる室内用鯉のぼりである。
【０００８】
前記凸面が、所定の軸を含む平面による断面形状が線分に略沿ったものであってもよい。
シート部材としては、通常平らなものが用いられることが多く（搬送や保管に便利である。）、その場合には一主表面は平面にほぼ沿っている。このようなシート部材を曲げて一主表面の少なくとも一部が凸面を形成するようにしようとすると、通常、所定の軸に沿った管状（例えば、該所定の軸に対する垂直な面による断面は、円形、楕円形、ｎ角形（但し、ｎは３以上の自然数））や樋状（例えば、該所定の軸に対する垂直な面による断面は、半円形、Ｕ字形、円形又は楕円から辺の一部を取り除いた形状、ｎ角形（但し、ｎは３以上の自然数）の１辺を取り除いた形状）となることが多い。このように一主表面が平面にほぼ沿ったシート部材を曲げて管状や樋状とした場合、凸面が、所定の軸を含む全ての平面による断面形状は線分に略沿ったものとなる（即ち、所定の軸を含む平面による凸面の断面形状が線分に略沿った状態で骨部材を用いるようにすれば、シート部材を容易に曲げて凸面を形成することができると共に、シート部材にも無理な力が加わりにくく骨部材の耐久性を向上させることができる。）。
【０００９】
前記凸面が、所定の軸を含む平面による断面形状が線分に略沿ったものである場合、前記所定の軸に対する垂直な平面による凸面の断面が全ての部分において微分可能なものであってもよい。
こうすることで一主表面が平面にほぼ沿ったシート部材を曲げるとき、所定の軸を含む全ての平面による断面形状が線分に略沿うと共に、該所定の軸に対する垂直な全ての平面による凸面の断面が全ての部分において微分可能なものであれば、曲げられたシート部材に折れ（谷折りや山折り）が生じないため、骨部材の耐久性を向上させることができる。また、本体部表面（本鯉のぼりの看者から直接目視される面）形状が凸面形状に沿う場合には、本体部表面に角部分が生じず自然な優しい外観を形成することができる。
【００１０】
骨部材に形成された係合部に係合することで、前記一主表面から突出するように骨部材に取り付けられる突出部材を、さらに備えてなるもの（以下、「突出部材具備鯉のぼり」という。）であってもよい。
突出部材を一主表面（凸部分の一主表面でもよい）から突出するように骨部材に取り付ける（骨部材に形成された係合部に係合させて取り付ける。）ことで、前記一主表面の一部又は全部をさらに突出させた形状を得ることができるので、例えば、本体部表面の形状をより突出したものとしたい場合にはその突出させたい位置に相当する位置に突出部材を取り付けるようにしてもよい。
【００１１】
突出部材具備鯉のぼりの場合、前記突出部材が短冊状のシート部材であり、前記係合部が、骨部材の前記一主表面に形成された前記突出部材の一端に係合する一端係合部と、骨部材の前記一主表面に形成された前記突出部材の他端に係合する他端係合部と、を有してなり、該一端係合部に一端が係合しかつ該他端係合部に他端が係合することで、突出部材の一端と他端との間の少なくとも一部が前記一主表面（凸部分の一主表面でもよい）から突出するものであってもよい。
ここに短冊状とは、主表面が細長い形状を有していることをいい、例えば、主表面の長手方向への寸法Ｌと、主表面の該長手方向に対して垂直な方向への寸法Ｓ（該垂直な方向への主表面の寸法のうち最大の寸法をいう。）と、の比（Ｌ／Ｓ）が、少なくとも１より大きいことをいい、好ましくは１．５以上、より好ましくは２以上、最も好ましくは３以上である。また比（Ｌ／Ｓ）の上限は特に制限はないが、短冊状のシート部材の取り扱いの容易性からは、通常、好ましくは２０以下、より好ましくは１０以下、最も好ましくは７以下である。また、突出部材を形成するシート部材としては、骨部材を形成するシート部材と同様のものを好適に用いることができる。
このようにすることで突出部材たる短冊状のシート部材が、骨部材の前記一主表面に形成された一端係合部に該シート部材の一端が係合し、骨部材の前記一主表面に形成された他端係合部に該シート部材の他端が係合することで（なお、該シート部材の一端と他端とは、短冊状である該シート部材の主表面の長手方向に関する両端である。）、簡単な構成により、突出部材の一端と他端との間の少なくとも一部を前記一主表面から確実に突出させることができる（通常、一端係合部と他端係合部との間の距離が、短冊状である該シート部材の該一端と該他端との間の距離より短いことで、突出部材の一端と他端との間が突出する。）。
【００１２】
本体部が形成する管の長手方向に関し、本体部に対する骨部材の相対的な変位を制限する変位制限手段を、さらに備えるもの（以下、「変位制限鯉のぼり」という。）であってもよい。
室内において無風状態でも本体部が所定の立体的な形状を保つことができさらに力無く垂れ下がることを防止又は減少させるためには、本体部が形成する管の長手方向に関する本体部に対する骨部材の相対的な位置が所定位置に保たれる必要がある。本体部が形成する管の長手方向に関する本体部に対する骨部材の相対的な位置を所定位置に保つため、該長手方向に関し本体部に対する骨部材の相対的な変位を制限する変位制限手段をさらに備えるようにしてもよい。
【００１３】
変位制限鯉のぼりの場合、前記変位制限手段が、本体部と骨部材とのいずれか一方が有する前記長手方向に対し垂直方向に突出する変位制限突起部と、本体部と骨部材とのいずれか他方が有する変位制限突起部を収容する変位制限突起部収容部と、を含んで構成されるもの（以下、「変位制限突起使用鯉のぼり」という。）であってもよい。
こうすることで前記長手方向に対し垂直方向に突出（該垂直方向に関して突出していることをいい、該垂直方向に向かって棒状等の部分がのびていることを必ずしも要さない）する変位制限突起部を、変位制限突起部収容部（前記長手方向に対し垂直方向に窪んだ部分を有する。）が収容（変位制限突起部が変位制限突起部収容部に嵌入される）することで、確実に前記長手方向に関し本体部に対する骨部材の相対的な変位を制限することができる。
【００１４】
変位制限突起使用鯉のぼりの場合、前記室内用鯉のぼりが、鯉の形状を有するものであり、前記変位制限突起部収容部が、該鯉の尾ビレに沿って本体部に形成された袋部分であり、前記変位制限突起部が、該袋部分に嵌入される骨部材に形成された骨部材突起であってもよい。
本鯉のぼりが鯉の形状を有するもの（鯉形状物）であるときには、本体部は鯉の形状にならった形状にされることが多く、その際には本体部の鯉の尾ビレは前記長手方向（鯉の体長方向）に対し垂直方向に大きく突出する部分であるから、この鯉の尾ビレ（内部）に沿って袋部分を形成すれば、鯉の形状を崩すことなく前記長手方向に対し垂直方向に窪んだ部分をうまく形成することができる。この鯉の尾ビレ内部に沿って形成された袋部分を変位制限突起部収容部とし、これにうまく嵌入されるよう骨部材に骨部材突起を形成すれば、鯉の形状を崩すことなく確実に前記長手方向に関し本体部に対する骨部材の相対的な変位を制限することができる。
【００１５】
本鯉のぼりは、様々な形態で製造及び販売されることができるが、本体部とシート部材とを含む本鯉のぼりの製作キットとして製造及び／又は販売等されてもよい。垂れ下がることを防止又は減少させ立体的な形状を保つ完成された本鯉のぼりは、折り畳んだりしにくかったり嵩高いことから搬送や保管が難しい場合があり得るが、組み立てる前の本体部とシート部材とを含む製作キットであれば容易に小さく折り畳むことも可能であり搬送や保管を便ならしめる。
そして、かかる本鯉のぼりの製作キットでは、シート部材の一主表面が、前記凸面を形成するように曲げられておらず略平面に沿っているものであってもよい。このようにすることでシート部材が平面に略沿っているので、製作キット自体を一層小型化することができ搬送や保管等が一層便利である。
加えて、本鯉のぼりの製作キットは各本鯉のぼり毎に単品販売してもよいが、通常、鯉のぼりは複数のものが一緒に配設されることが多いので、一般的な鯉のぼりと同様に、これら複数の本鯉のぼりの製作キットをセットとして販売してもよい。即ち、かかるセットは、第１の本鯉のぼりを製作する第１の製作キットと、第１の本鯉のぼりとは異なる種類の第２の本鯉のぼりを製作する第２の製作キットと、を少なくとも含むセットである（例えば、第１の製作キットが吹き流し（吹き抜き）製作用であり、第２の製作キットが鯉形状物製作用であってもよい。また、該セットには、第３の製作キット、第４の製作キット、・・・・をさらに含んでもよいことは言うまでもない。）。
【考案を実施するための最良の形態】
【００１６】
本考案の実施の形態を図面を参照して詳述するが、本考案はこれに限定されるものではない。
【００１７】
図１は、本考案の室内用鯉のぼり（本鯉のぼり）６０、７０、８０、９０を含んでなる鯉のぼり装置１１を示す斜視図であり、図２は図１の部分詳細図（具体的には、図２（ａ）は図１中の円Ａ中の拡大組立図であり、図２（ｂ）は図１中の円Ｂ中の拡大組立図であり、図２（ｃ）は図１中の各鯉のぼり６０、７０、８０、９０への前方貫通ロープ５５の係合状態を示す拡大図である。）である。図１及び図２を参照して、鯉のぼり装置１１について説明する。
鯉のぼり装置１１は、大まかには、図示しないテーブルの略水平な上面１０１に載置された支持部２０と、天井１０３に取り付けられたフック１０５に支持部２０の上端近傍を連結し支持部２０が転倒することを防止する転倒防止ロープ４０と、支持部２０の上端部分に取り付けられた矢車部３０と、支持部２０に一端が取り付けられ吊り下げられたチェーン（鎖）５０と、チェーン５０に係止された吹き流し部６０と、チェーン５０に係止された黒鯉部７０と、チェーン５０に係止された赤鯉部８０と、チェーン５０に係止された青鯉部９０と、支持部２０の上部に一端が固定され支持部２０の下部に他端が固定されると共に吹き流し部６０と黒鯉部７０と赤鯉部８０と青鯉部９０との前方側を該一端と該他端との間の部分が貫通する前方貫通ロープ５５と、を備えている。なお、図中、（鉛直）上方向を矢印Ｆ１にて、そして（鉛直）下方向を矢印Ｆ２にて、それぞれ示した。
【００１８】
支持部２０は、図示しないテーブルの略水平な上面１０１に載置された基礎板部２１と、長手方向が鉛直方向を略向くように基礎板部２１に下端が取り付けられた支柱部２３と、基礎板部２１と支柱部２３との取付を補強するための補強板２５ａ、２５ｂと、支柱部２３の上端近傍から水平方向に略のびるように一端が取り付けられた上部横部材２７と、上部横部材２７の下面に取り付けられたフック２９と、を有してなり、金属製のフック２９以外は全て木製である。また、支柱部２３の上端には矢車部３０が配設されている。
支持部２０は、全体としては「コ」の字形状をしていることから、吹き流し部６０と黒鯉部７０と赤鯉部８０と青鯉部９０とを吊り下げるチェーン５０の上端をフック２９に係止させても自立可能なものであるが、不意の接触や地震等によって予期しない力が加わっても転倒しないよう、天井１０３に取り付けられたフック１０５に一端が取り付けられた転倒防止ロープ４０の他端が支柱部２３の上端近傍に結びつけられている。
【００１９】
支持部２０のフック２９に一端が係止されたチェーン５０は、他端が下方に向かって垂れ下がっている。チェーン５０には、上方から下方に向かって順番に、吹き流し部６０と黒鯉部７０と赤鯉部８０と青鯉部９０とが吊り下げられている。
吹き流し部６０は、図２（ａ）に示すように、吹き流し部６０が有する骨部材６３（骨本体部分６４）に取り付けられた樹脂製のフック６９により「Ｓ」の字状の金具５１を介してチェーン５０を構成する個々の環状部分に引っかけるようにしてチェーン５０に係止され吊り下げられている。
黒鯉部７０と赤鯉部８０と青鯉部９０とは、いずれも図２（ｂ）に示すように、樹脂製のクリップＣにより背ビレ部分Ｄを挟持される（クリップＣに内蔵されるバネにより背ビレ部分Ｄを挟持する。）と共に、背ビレ部分Ｄを挟持したクリップＣのフック部分Ｃ１がチェーン５０を構成する個々の環状部分に引っかけるようにされてチェーン５０に係止され吊り下げられている。
【００２０】
前方貫通ロープ５５は、図２（ｃ）に示すように、吹き流し部６０と黒鯉部７０と赤鯉部８０と青鯉部９０との前方側にそれぞれ形成された２のロープ貫通孔Ｅ１、Ｅ２を貫通しており、一端（上端）は支持部２０のフック２９に固定されされると共に他端（下端）は支持部２０の支柱部２３下端近傍に固定されている
。この前方貫通ロープ５５により、吹き流し部６０と黒鯉部７０と赤鯉部８０と青鯉部９０との向きがほぼ一致し（前方貫通ロープ５５が、吹き流し部６０と黒鯉部７０と赤鯉部８０と青鯉部９０との前部分の位置をある程度拘束する。）、鯉のぼり装置１１の美感を向上させる。
【００２１】
次いで、吹き流し部６０と黒鯉部７０と赤鯉部８０と青鯉部９０とについて詳しく説明するが、黒鯉部７０と赤鯉部８０と青鯉部９０とはいずれも同様の構成を有しているのでこれらをまとめて鯉部として説明し、その後、吹き流し部６０について説明する。
図３は、鯉部２０１（黒鯉部７０、赤鯉部８０及び青鯉部９０のいずれも鯉部２０１と同様の構成である。）を示す斜視図（組立図）であり、図４は鯉部２０１の骨部材２１１を構成するシート部材２１５を示す平面図（シート部材２１５の一主表面２１５ｓ１に対して垂直方向から見たところを示している）であり、図５は図４に示したシート部材２１５の一主表面２１５ｓ１が凸面を形成するように曲げられ形成された骨部材２１１を示す斜視図である。図３乃至図５を参照して、鯉部２０１について説明する。
鯉部２０１は、大まかには、中空管形状の本体部２２１と、本体部２２１の内部に挿入される骨部材２１１と、を有してなる。
【００２２】
本体部２２１は、全体としては鯉の形状に似せた布製の中空管形状をしており（従来から用いられてきた屋外用の鯉形状の鯉のぼりと同様の構成で寸法を小さくしたもの）、一端（前端）２２３ａと他端（後端）２２３ｂとが開放された中空筒状（両端２２３ａ、２２３ｂが開放された中空の管状）の胴体部２２３（布製）と、胴体部２２３に取り付けられた背ビレ部２２５（布製。図２（ｂ）においては背ビレ部分Ｄとして示した。）と、胴体部２２３に取り付けられた前胸ビレ部２２７ａ（布製。左右一対存するが片方は図にあらわれない。）と、胴体部２２３に取り付けられた後胸ビレ部２２７ｂ（布製。左右一対存するが片方は図にあらわれない。）と、胴体部２２３に取り付けられた目玉部２２９（布製。左右一対存するが片方は図にあらわれない。）と、を有している。なお、胴体部２２３の開放された一端（前端）２２３ａ近傍には、前述した前方貫通ロープ５５を貫通させるための２のロープ貫通孔Ｅ１、Ｅ２が穿設されている。また、図６（理解を容易にするため、本体部２２１を透明なものとして示している。）にて後述するように、胴体部２２３の尾ビレ部分２２３ｃの上端部分は袋状に縫われており、袋部分２２３ｃ１が形成されている。
【００２３】
骨部材２１１を構成するシート部材２１５は、透明なＰＥＴ（ポリエチレンテレフタレート）樹脂によって形成された薄いフィルム（ここでは０．３ｍｍ程度の厚み）を所定の形状に成形（打ち抜き等）することにより形成されている。シート部材２１５は、主として図４に示すように、一主表面２１５ｓ１と他主表面２１５ｓ２（一主表面２１５ｓ１の裏面。図５参照。）の両主表面を有しており、これら両主表面２１５ｓ１、２１５ｓ２（いずれも平面に沿っている。）は、ほぼ長方形をした長方形部分Ｇ１と、長方形部分Ｇ１の隣接する２の角部分から対角線方向に向けて突出する一対のシート突起Ｋ１、Ｋ２と、を有している。また両主表面２１５ｓ１、２１５ｓ２のいずれも、直線Ｌに対して線対称になるようにほぼ形成されている。なお、一対のシート突起Ｋ１、Ｋ２は、図６にて後述するように、胴体部２２３の尾ビレ部分２２３ｃに形成された袋部分２２３ｃ１に丁度うまく嵌入される形状及び寸法とされている。
【００２４】
このようなシート部材２１５はある程度の可撓性を有しているので、図５に示すよう、一主表面２１５ｓ１が凸面を形成するように力を加え湾曲させ骨部材２１１とする。そして、このように湾曲させたシート部材２１５により構成される骨部材２１１を、図３中の（点線）矢印Ｊに示すよう、本体部２２１の他端（後端）２２３ｂに形成された開口（図６中には開口２２３ｂ１として示した）から本体部２２１の内部に挿入する（このとき一対のシート突起Ｋ１、Ｋ２が、図３中の（点線）矢印Ｊに示す挿入方向に対して後に向くようにする。）。最後に、図６に示すように、一対のシート突起Ｋ１、Ｋ２が、胴体部２２３の尾ビレ部分２２３ｃに形成された袋部分２２３ｃ１に嵌入されるようにする。なお、前にも述べたが、骨部材２１１と本体部２２１との状態の理解を容易にするため、図６においては、本体部２２１（胴体部２２３）を透明なものとして示している。
このようにして骨部材２１１の本体部２２１内部への挿入が完了する。なお、該挿入が完了した状態では、骨部材２１１の前縁２１１ｆは、本体部２２１の一端（前端）２２３ａの近傍（但し、２のロープ貫通孔Ｅ１、Ｅ２よりも後方）に位置している。また、該状態では、骨部材２１１の一主表面（一主表面２１５ｓ１）を含む部分である凸部分が、本体部２２１の内部に挿入されることで、該凸部分のうち他主表面（２１５ｓ２）側に本体部２２１の内部空間が形成される。  このようにして鯉部２０１（黒鯉部７０、赤鯉部８０及び青鯉部９０）が完成される。
【００２５】
次いで、吹き流し部６０について詳しく説明する。
図７は吹き流し部６０を示す斜視図（組立図）であり、図８は吹き流し部６０を構成する本体部６１を示す斜視図であり、そして図９は吹き流し部６０を構成する骨部材６３を示す斜視図である。図７乃至図９を参照して、吹き流し部６０について説明する。
吹き流し部６０は、大まかには、中空管形状の本体部６１と、本体部６１の内部に挿入される骨部材６３と、を有してなる。
【００２６】
本体部６１は、全体としては吹き流し（吹き抜き）形状の布製の中空管形状をしており（従来から用いられてきた屋外用の吹き流し（吹き抜き）と同様の構成で寸法を小さくしたもの）、両端が開放された中空直円筒形状をした前部分６１ａと、前部分６１ａの後縁に連なるように取り付けられた後部分６１ｂと、を有している。後部分６１ｂは、後部分６１ｂの前端（前部分６１ａの後縁に連なる部分）から後端まで連続するスリット６２（切れ込み）が複数形成されることで、短冊状の部分６１ｂ１、６１ｂ２、６１ｂ３、６１ｂ４、６１ｂ５に分割されている。短冊状の部分６１ｂ１、６１ｂ２、６１ｂ３、６１ｂ４、６１ｂ５それぞれの後端近傍内側部分には、面ファスナーの互いに係合しうる一方側と他方側（一方側と他方側とは、オス側とメス側とを構成している。）とのうち一方側６１ｆが貼着されている（短冊状の部分６１ｂ１、６１ｂ２、６１ｂ３に貼着された一方側は図にあらわれないが、短冊状の部分６１ｂ４、６１ｂ５と同様に設けられている。）。なお、後部分６１ｂの複数のスリット６２を閉じるようにすれば（短冊状の部分６１ｂ１、６１ｂ２、６１ｂ３、６１ｂ４、６１ｂ５が互いに隣接する縁部を接するようにすれば）、後部分６１ｂは、前部分６１ａが形成する直円筒の半径とほぼ同じ半径の直円筒を形成する。
【００２７】
骨部材６３は、透明なＰＥＴ（ポリエチレンテレフタレート）樹脂によって形成された薄いフィルム（ここでは０．３ｍｍ程度の厚み）を略直円筒形状に丸めた骨本体部分６４と、骨本体部分６４が形成する略直円筒の軸Ｍに沿って骨本体部分６４の表面６４ａに複数枚（ここでは５枚）取り付けられた突出短冊部材６５と、骨本体部分６４の後端（突出短冊部材６５が取り付けられた端）側の内面を巡る（周回する）ように貼着された前記面ファスナーの他方側６６（一方側６１ｆと係合しうるもの）と、を有してなる。なお、骨本体部分６４に穿設された開口６４ｈは、前述の図２（ａ）に示すようにフック６９を嵌入し取り付けるためのものである。
【００２８】
図１０は突出短冊部材６５を示す平面図であり、図１１は骨本体部分６４を構成する骨本体シート６７に突出短冊部材６５を取り付ける方法を示す図（具体的には、図１１（ａ）は、突出短冊部材６５を骨本体シート６７に取り付ける作業の途中を示す図であり、図１１（ｂ）は図１１（ａ）の円Ｐ中の作業詳細図である。）である。図１０及び図１１を参照して、突出短冊部材６５を骨本体シート６７に取り付ける作業について説明する。
突出短冊部材６５は、ＰＥＴ（ポリエチレンテレフタレート）樹脂によって形成された厚み０．３ｍｍ程度のフィルムにより一体に形成されており、主表面が略長方形の突出短冊本体６５ａと、突出短冊本体６５ａが形成する該略長方形の相対する２の辺（ここでは短辺）に一体に連なるように形成された突出短冊舌部６５ｂ１、６５ｂ２と、を有している。そして、突出短冊本体６５ａが形成する該略長方形の４の角のうち１の対角線により結ばれる２の角から該２の辺（ここでは短辺）に沿うように突出短冊本体６５ａと突出短冊舌部６５ｂ１との間に切れ込み６５ｃ１が形成されると共に、突出短冊本体６５ａと突出短冊舌部６５ｂ２との間に切れ込み６５ｃ２が形成されている。
【００２９】
骨本体シート６７は、主表面が略長方形のシート本体６７ａ（ＰＥＴ（ポリエチレンテレフタレート）樹脂によって形成された厚み０．３ｍｍ程度のフィルム）と、シート本体６７ａの一辺（ここでは長辺）に沿ってシート本体６７ａと一体に形成された舌部６７ｂ１、６７ｂ２、６７ｂ３、６７ｂ４と、を有している。なお、舌部６７ｂ１、６７ｂ２、６７ｂ３、６７ｂ４と、シート本体６７ａと、の間には該一辺（ここでは長辺）に沿って切れ込み６７ｂ１ｃ、６７ｂ２ｃ、６７ｂ３ｃ、６７ｂ４ｃが形成されている。そして、シート本体６７ａには前述の開口６４ｈとなる開口６７ｈが穿設されており、骨本体シート６７を略直円筒形状に丸めた際に舌部６７ｂ１、６７ｂ２、６７ｂ３、６７ｂ４を嵌入するためのスリット（細長い隙間）６７ｓ１、６７ｓ２、６７ｓ３、６７ｓ４（突出短冊部材６５によりスリット６７ｓ４は図１１（ａ）では隠れている。舌部６７ｂ１はスリット６７ｓ１に、舌部６７ｂ２はスリット６７ｓ２に、舌部６７ｂ３はスリット６７ｓ３に、そして舌部６７ｂ４はスリット６７ｓ４に、それぞれ嵌入される。）が形成されている。加えて、シート本体６７ａには、図９に示したように突出短冊部材６５を取り付けるため、突出短冊舌部６５ｂ１、６５ｂ２を嵌入することができるスリット（細長い隙間）６７ｄが所定の位置に形成されている（１枚の突出短冊部材６５には突出短冊舌部６５ｂ１、６５ｂ２の２の突出短冊舌部が形成されており、シート本体６７ａにここでは５枚の突出短冊部材６５を取り付けるので、２×５＝１０個のスリット６７ｄが所定の位置に形成されている。）。
【００３０】
突出短冊舌部６５ｂ１、６５ｂ２をスリット６７ｄへ嵌入するには、図１１（ｂ）に示すように、突出短冊舌部６５ｂ１（６５ｂ２）（図１１（ｂ）には突出短冊舌部６５ｂ１を示しているが、突出短冊舌部６５ｂ２も同様に行うことができる。）をスリット６７ｄに嵌入し（図１１（ｂ）中、矢印Ｑ１にて示す。）、その後、突出短冊舌部６５ｂ１（６５ｂ２）がスリット６７ｄから不意に抜けることを防止するため、切れ込み６５ｃ１（６５ｃ２）をシート本体６７ａに係合させるようスライドさせる（図１１（ｂ）中、矢印Ｑ２にて示す。）。
このようにして５枚の突出短冊部材６５をシート本体６７ａに順次取り付ける。
なお、切れ込み６５ｃ１と切れ込み６５ｃ２との間の距離（突出短冊本体６５ａが形成する前記略長方形の長辺に平行な方向の距離をいう。図１０中に距離ｄ１として示す。）は、これら切れ込み６５ｃ１、６５ｃ２が嵌入されるスリット６７ｄ同士間の距離（図１１（ａ）中に距離ｄ２として示す。）よりも大きいので、上記したようにして突出短冊部材６５をシート本体６７ａに取り付けると図１１（図９）に示すように突出短冊部材６５はシート本体６７ａから湾曲して突出する。
【００３１】
以上のようにして突出短冊部材６５が取り付けられたシート本体６７ａを、図７及び図９に示した骨部材６３を形成するよう丸める。図１２は、突出短冊部材６５が取り付けられたシート本体６７ａを丸める工程を示す図（具体的には、図１２（ａ）は、突出短冊部材６５が取り付けられたシート本体６７ａを丸める工程を示す斜視図であり、図１２（ｂ）は図１２（ａ）中の点線にて示した円Ｒ中の作業を示す拡大図である。）であり、図１２を参照してかかる工程について説明する。
突出短冊部材６５が取り付けられたシート本体６７ａを、図１２（ａ）に示すよう突出短冊部材６５が取り付けられた主表面が外側になるように湾曲させ丸める（図１２（ａ）中、シート本体６７ａを丸める方向を矢印Ｑ３にて示した。）。そして、舌部６７ｂ１をスリット６７ｓ１に、舌部６７ｂ２をスリット６７ｓ２に、舌部６７ｂ３をスリット６７ｓ３に、そして舌部６７ｂ４をスリット６７ｓ４に、それぞれ嵌入させる（図１２（ｂ）には、舌部６７ｂ１をスリット６７ｓ１に嵌入させるところを矢印Ｑ４にて示したが、他の舌部もこれと同様にスリットに嵌入させればよい。）。
その後、舌部６７ｂ１、６７ｂ２、６７ｂ３、６７ｂ４がスリット６７ｓ１、６７ｓ２、６７ｓ３、６７ｓ４から不意に抜けることを防止するため、切れ込み６７ｂ１ｃ、６７ｂ２ｃ、６７ｂ３ｃ、６７ｂ４ｃをシート本体６７ａに係合させるようスライドさせる（図１２（ｂ）には、切れ込み６７ｂ１ｃをスライドさせるところを矢印Ｑ５にて示したが、他の切れ込みもこれと同様にスライドさせればよい。）。
【００３２】
以上のようにして突出短冊部材６５が取り付けられたシート本体６７ａを、図７及び図９に示した骨部材６３（骨本体部分６４）を形成するよう丸める。
その後、前記面ファスナーの他方側６６を、骨本体部分６４の後端（突出短冊部材６５が取り付けられた端）側の内面を巡る（周回する）ように貼着し、骨部材６３が完成される。
そして、このようにして完成された骨部材６３を、図７中の矢印Ｑ６にて示すように本体部６１が形成する中空管形状の内部空間に挿入し、図１３に示す状態とする。そして、本体部６１の後部分６１ｂを構成する短冊状の部分６１ｂ１、６１ｂ２、６１ｂ３、６１ｂ４、６１ｂ５の後端近傍部分を、骨本体部分６４の内側方向に折り返し（図１３には、短冊状の部分６１ｂ５の後端近傍部分を折り返すところを矢印Ｑ７にて示したが、他の短冊状の部分６１ｂ１、６１ｂ２、６１ｂ３、６１ｂ４もこれと同様に折り返せばよい。なお、図１３では短冊状の部分６１ｂ１、６１ｂ２、６１ｂ４は既に折り返した状態を示している。）、短冊状の部分６１ｂ１、６１ｂ２、６１ｂ３、６１ｂ４、６１ｂ５それぞれの後端近傍内側部分に配設された前記面ファスナーの一方側６１ｆを、骨本体部分６４の後端側の内面を巡る（周回する）ように貼着された前記面ファスナーの他方側６６に係合させる。
以上のようにして、吹き流し部６０が完成される。
このようにして完成された吹き流し部６０においては、骨部材６３の前縁６３ｆは、本体部６１の一端（前端）６１ｋの近傍（但し、２のロープ貫通孔Ｅ１、Ｅ２よりも後方）に位置している。また、該状態では、骨部材６３の一主表面（ここでは突出短冊部材６５が取り付けられた面。即ち、骨本体部分６４の外側の表面６４ａ）を含む部分である凸部分（ここでは骨本体部分６４が該当する。）が、本体部６１の内部に挿入されることで、該凸部分（骨本体部分６４）のうち他主表面（骨本体部分６４の内側の面）側に本体部６１の内部空間が形成される。
なお、この後、骨本体部分６４に穿設された開口６４ｈに、前述の図２（ａ）に示したようにフック６９を嵌入し取りつけ、フック６９のうち「Ｓ」の字状の金具５１に係合するカギ部分を短冊状の部分６１ｂ１、６１ｂ２、６１ｂ３、６１ｂ４、６１ｂ５の間から突出させれば、吹き流し部６０をチェーン５０に係止され吊り下げることができる。
【００３３】
以上詳しく説明した吹き流し部６０、黒鯉部７０、赤鯉部８０及び青鯉部９０（これら黒鯉部７０、赤鯉部８０及び青鯉部９０のいずれも上述の鯉部２０１と同様の構成である。）を用いて、鯉のぼり装置１１を構成することができる。
また、吹き流し部６０は、上述した組立と逆の作業で容易に分解することができ、分解した後の本体部６１は折り畳むことができると共に、骨部材６３は突出短冊部材６５と骨本体シート６７にさらに分解することができるので（これら突出短冊部材６５と骨本体シート６７は薄い平らなフィルム状である。）、使用しないときにはかさばらず場所をとらないことから保管や搬送を容易にする。
そして、鯉部２０１（黒鯉部７０、赤鯉部８０及び青鯉部９０のいずれも）も上述した組立と逆の作業で容易に分解することができ、分解後の本体部２２１は折り畳むことができると共に、骨部材２１１は薄い平らなフィルム状になるので、使用しないときにはかさばらず場所をとらないことから保管や搬送を容易にする。
【００３４】
このように黒鯉部７０、赤鯉部８０及び青鯉部９０である鯉部２０１は、シート部材２１５の一主表面２１５ｓ１と他主表面２１５ｓ２のうち一主表面２１５ｓ１の少なくとも一部（ここでは全部）が凸面を形成するように曲げられた骨部材２１１と、中空管形状の本体部２２１と、を備えてなり、骨部材２１１のうち少なくとも該凸面を形成する一主表面２１５ｓ１を含む部分である凸部分（ここでは骨部材２１１全部）が、本体部２２１の内部に挿入されることで、該凸部分（ここでは骨部材２１１全部）のうち他主表面側２１５ｓ２に本体部２２１の内部空間が形成されるものである、室内用鯉のぼりである。
前記凸面（一主表面２１５ｓ１）が、所定の軸（例えば、一主表面２１５ｓ１は円柱の側面の一部を略構成しているが、該円柱の軸を一例として挙げることができる。）を含む平面による断面形状が線分に略沿ったものである。
また、前記所定の軸（前述の例では、一主表面２１５ｓ１が側面の一部を略形成する円柱の軸）に対する垂直な面による凸面（一主表面２１５ｓ１）の断面が全ての部分において微分可能（折れ曲がりがない）なものである。
【００３５】
そして、本体部２２１が形成する管の長手方向（図３中、点線Ｙ方向）に関し、本体部２２１に対する骨部材２１１の相対的な変位を制限する変位制限手段（ここでは一対のシート突起Ｋ１、Ｋ２と、胴体部２２３の尾ビレ部分２２３ｃに形成された袋部分２２３ｃ１と、により形成される。）を、さらに備えるものである。前記変位制限手段（一対のシート突起Ｋ１、Ｋ２と袋部分２２３ｃ１）が、本体部２２１と骨部材２１１とのいずれか一方（ここでは骨部材２１１）が有する前記長手方向（図３中、点線Ｙ方向）に対し垂直方向に突出する変位制限突起部たる一対のシート突起Ｋ１、Ｋ２と、本体部２２１と骨部材２１１とのいずれか他方（ここでは本体部２２１）が有する変位制限突起部たる一対のシート突起Ｋ１、Ｋ２を収容する変位制限突起部収容部たる袋部分２２３ｃ１と、を含んで構成されるものである。さらに、前記室内用鯉のぼりたる鯉部２０１が、鯉の形状を有するものであり、前記変位制限突起部収容部たる袋部分２２３ｃ１が、該鯉（鯉部２０１）の尾ビレ（尾ビレ部分２２３ｃ）に沿って本体部２２１に形成された袋部分２２３ｃ１であり、前記変位制限突起部たる一対のシート突起Ｋ１、Ｋ２が、該袋部分２２３ｃ１に嵌入される骨部材２１１に形成された骨部材突起Ｋ１、Ｋ２である。
【００３６】
黒鯉部７０、赤鯉部８０及び青鯉部９０である鯉部２０１は、ここでは本体部２２１とシート部材２１５とを含んでなる、室内用鯉のぼりを製作する製作キットとして販売及び提供される。この製作キットにおいては、シート部材２１５の一主表面２１５ｓ１が、前記凸面を形成するように曲げられておらず略平面に沿っている。
【００３７】
吹き流し部６０は、シート部材たる骨本体シート６７の一主表面（ここでは突出短冊部材６５が取り付けられる面。即ち、骨本体部分６４の外側の表面６４ａを構成する面）と他主表面（骨本体部分６４の内側の面を構成する面）のうち一主表面の少なくとも一部が凸面を形成するように曲げられた骨部材６３と、中空管形状の本体部６１と、を備えてなり、骨部材６３のうち少なくとも該凸面を形成する一主表面（突出短冊部材６５が取り付けられる骨本体部分６４の外側の表面６４ａ）を含む部分である凸部分（ここでは骨本体部分６４が該当する。）が、本体部６１の内部に挿入されることで、該凸部分（骨本体部分６４）のうち他主表面（骨本体部分６４の内側の面）側に該本体部６１の内部空間が形成されるものである、室内用鯉のぼりである。
前記凸面（突出短冊部材６５が取り付けられる骨本体部分６４の外側の表面６４ａ）が、所定の軸（例えば、骨本体部分６４が形成する略直円筒の軸Ｍ）を含む平面による断面形状が線分に略沿ったものである。
そして、前記所定の軸（前述の例では、骨本体部分６４が形成する略直円筒の軸Ｍ）に対する垂直な面による凸面（骨本体部分６４の外側の表面６４ａ）の断面が全ての部分において微分可能（折れ曲がりがない）なものである。
【００３８】
さらに、骨部材６３に形成された係合部（ここではスリット６７ｄ）に係合することで、前記一主表面（骨本体部分６４の外側の表面６４ａ）から突出するように骨部材６３に取り付けられる突出部材たる突出短冊部材６５を、さらに備えてなるものである。前記突出部材たる突出短冊部材６５が短冊状のシート部材であり、前記係合部（スリット６７ｄ）が、骨部材６３の前記一主表面（骨本体部分６４の外側の表面６４ａ）に形成された前記突出部材たる突出短冊部材６５の一端（突出短冊舌部６５ｂ１）に係合する一端係合部と、骨部材６３の前記一主表面（骨本体部分６４の外側の表面６４ａ）に形成された前記突出部材の他端（突出短冊舌部６５ｂ２）に係合する他端係合部と、を有してなり、該一端係合部に一端（突出短冊舌部６５ｂ１）が係合しかつ該他端係合部に他端（突出短冊舌部６５ｂ２）が係合することで、突出部材たる突出短冊部材６５の一端（突出短冊舌部６５ｂ１）と他端（突出短冊舌部６５ｂ２）との間の少なくとも一部（ここでは突出短冊本体６５ａ）が前記一主表面（骨本体部分６４の外側の表面６４ａ）から突出するものである。
【００３９】
加えて、本体部６１が形成する管の長手方向（ここでは骨本体部分６４が形成する略直円筒の軸Ｍの方向）に関し、本体部６１に対する骨部材６３の相対的な変位を制限する変位制限手段（短冊状の部分６１ｂ１、６１ｂ２、６１ｂ３、６１ｂ４、６１ｂ５それぞれの後端近傍内側部分に配設された前記面ファスナーの一方側６１ｆと、骨本体部分６４の後端側の内面を巡る（周回する）ように貼着された前記面ファスナーの他方側６６と、により構成される。）を、さらに備えるものである。
吹き流し部６０は、本体部６１とシート部材たる骨本体シート６７とを含んでなる、室内用鯉のぼりを製作する製作キットとして販売される。この製作キットにおいては、シート部材たる骨本体シート６７の一主表面（骨本体部分６４の外側の表面６４ａを形成する面）が、前記凸面を形成するように曲げられておらず略平面に沿っている。
また、ここでは第１の室内用鯉のぼり（黒鯉部７０）を製作する第１の製作キットと、第１の室内用鯉のぼり（黒鯉部７０）とは異なる種類の第２の室内用鯉のぼり（赤鯉部８０）を製作する第２の製作キットと、第１の室内用鯉のぼり（黒鯉部７０）と第２の室内用鯉のぼり（赤鯉部８０）とは異なる種類の第３の室内用鯉のぼり（青鯉部９０）を製作する第３の製作キットと、そして第１の室内用鯉のぼり（黒鯉部７０）、第２の室内用鯉のぼり（赤鯉部８０）及び第３の室内用鯉のぼり（青鯉部９０）とは異なる種類の第４の室内用鯉のぼり（吹き流し部６０）を製作する第４の製作キットと、を含むセットが、鯉のぼり装置１１全体の製作セットとして販売される。
【図面の簡単な説明】
【００４０】
【図１】本考案の室内用鯉のぼり（本鯉のぼり）を含んでなる鯉のぼり装置を示す斜視図である。
【図２】図１の部分詳細図である。
【図３】鯉部（黒鯉部、赤鯉部及び青鯉部）を示す斜視図（組立図）である。
【図４】鯉部の骨部材を構成するシート部材を示す平面図である。
【図５】図４に示したシート部材の一主表面が凸面を形成するように曲げられ形成された骨部材を示す斜視図である。
【図６】胴体部の尾ビレ部分の上端部分に形成された袋部分の詳細を示す図である。
【図７】吹き流し部を示す斜視図（組立図）である。
【図８】吹き流し部を構成する本体部を示す斜視図である。
【図９】吹き流し部を構成する骨部材を示す斜視図である。
【図１０】突出短冊部材を示す平面図である。
【図１１】骨本体シートに突出短冊部材を取り付けるところを示す図である。
【図１２】突出短冊部材が取り付けられたシート本体を丸める工程を示す図である。
【図１３】骨部材を、図７中の矢印Ｑ６にて示すように本体部が形成する中空管形状の内部空間に挿入した状態を示す図である。
【符号の説明】
【００４１】
１１                鯉のぼり装置
２０                支持部
２１                基礎板部
２３                支柱部
２５ａ、２５ｂ      補強板
２７                上部横部材
２９                フック
３０                矢車部
４０                転倒防止ロープ
５０                チェーン
５１                金具
５５                前方貫通ロープ
６０                吹き流し部
６１                本体部
６１ａ              前部分
６１ｂ              後部分
６１ｂ１、６１ｂ２、６１ｂ３、６１ｂ４、６１ｂ５  短冊状の部分
６１ｆ              （面ファスナーの）一方側
６１ｋ              一端（前端）
６２                スリット
６３                骨部材
６３ｆ              前縁
６４                骨本体部分
６４ａ              表面
６４ｈ              開口
６５                突出短冊部材
６５ａ              突出短冊本体
６５ｂ１、６５ｂ２  突出短冊舌部
６５ｃ１、６５ｃ２  切れ込み
６６                （面ファスナーの）他方側
６７                骨本体シート
６７ａ              シート本体
６７ｂ１、６７ｂ２、６７ｂ３、６７ｂ４  舌部
６７ｂ１ｃ、６７ｂ２ｃ、６７ｂ３ｃ、６７ｂ４ｃ  切れ込み
６７ｄ              スリット
６７ｈ              開口
６７ｓ１、６７ｓ２、６７ｓ３、６７ｓ４  スリット
６９                フック
７０                黒鯉部
８０                赤鯉部
９０                青鯉部
１０１                上面
１０３                天井
１０５                フック
２０１                鯉部
２１１                骨部材
２１１ｆ              前縁
２１５                シート部材
２１５ｓ１            一主表面
２１５ｓ２            他主表面
２２１                本体部
２２３                胴体部
２２３ａ              一端（前端）
２２３ｂ              他端（後端）
２２３ｂ１            開口
２２３ｃ              尾ビレ部分
２２３ｃ１            袋部分
２２５                背ビレ部
２２７ａ              前胸ビレ部
２２７ｂ              後胸ビレ部
２２９                目玉部
Ｃ                クリップ
Ｃ１              フック部分
Ｄ                背ビレ部分
Ｅ１、Ｅ２        ロープ貫通孔
Ｇ１              長方形部分
Ｋ１、Ｋ２        シート突起
【図１】
0003117806.tif 000003
【図２】
0003117806.tif 000004
【図３】
0003117806.tif 000005
【図４】
0003117806.tif 000006
【図５】
0003117806.tif 000007
【図６】
0003117806.tif 000008
【図７】
0003117806.tif 000009
【図８】
0003117806.tif 000010
【図９】
0003117806.tif 000011
【図１０】
0003117806.tif 000012
【図１１】
0003117806.tif 000013
【図１２】
0003117806.tif 000014
【図１３】
0003117806.tif 000015